(57)【要約】【課題】構造を簡単にすること。【解決手段】アース装置３０は、導電性を有するガラス導通部材１５、ガイドレール１０及び支持部材１２が内部に配置された上フレーム７、下フレーム８内に、圧縮状態で設けられた圧縮コイルばね１１と、圧縮コイルばね１１と導通する枠体３と、を備え、１つの圧縮コイルばね１１は、ガラス導通部材１５と支持部材１２とに接触し、ガイドレール１０を挟み込んで、ガラス導通部材１５、ガイドレール１０及び支持部材１２をアースしている。このように、アース装置３０は、圧縮コイルばね１１が複数の部材に接触して、その複数の部材をアースするようになっているので、構造が簡単である。【選択図】図７
2016021616.tif 000002
【特許請求の範囲】
【請求項１】
導電性を有する複数の部品が内部に配置されるフレーム内に、圧縮状態で設けられる圧縮コイルばねと、
前記圧縮コイルばねと導通するアース部材と、を備え、
前記圧縮コイルばねは、少なくとも２つの前記部品に接触しており、接触している前記部品の内、少なくとも１つの部品を螺旋状の間で挟んでおり、接触する前記部品をアース部材に導通している、
ことを特徴とするアース装置。
【請求項２】
前記フレームは、複数の分割フレームで形成されて、各前記分割フレームに複数の前記部品のいずれかが設けられている、
ことを特徴とする請求項１に記載のアース装置。
【請求項３】
導電コーティングされて、表面に原稿が位置する透明体と、
原稿に光を照射し、反射した光を受けて原稿を読み取る読取部と、
前記読取部を前記透明体に対して移動可能に案内する案内部材と、
前記読取部を移動させる駆動源と、
前記駆動源を支持する支持部材と、
請求項１又は２に記載のアース装置と、を備え、
前記案内部材が、前記読取部と前記支持部材との中間に位置し、
前記圧縮ばねが接触する部材が、導電性を有する、前記透明体、前記案内部材、及び前記支持部材であり、
前記案内部材と前記支持部材とが、前記圧縮コイルばねの螺旋状の間の異なる位置に位置している、
ことを特徴とする画像読取装置。
【請求項４】
請求項３に記載の画像読取装置と、
前記画像読取装置が読み取った原稿をシートに複写する画像形成部と、を備えた、
ことを特徴とする画像形成装置。
【発明の詳細な説明】
【技術分野】
【０００１】
本発明は、導電性を有する部品同士をアースするアース装置と、このアース装置によって部品同士がアースされた画像読取装置と、この画像読取装置を装置本体に備えた画像形成装置とに関する。
【背景技術】
【０００２】
従来、シートに画像を形成する複写機、プリンタ等の画像形成装置は、画像形成装置の装置本体の上部に原稿の画像を読み取る画像読取装置を備え、この画像読取装置が読み取った画像をシートに複写するようになっている。画像読取装置は、原稿が通過する流し読みガラス、原稿が載置される固定読みガラス、原稿に光を照射し、その反射光で画像を読み取る読取ユニット、読取ユニットの移動を案内するガイドレール、読取ユニットを駆動する駆動ユニット等を備えている。
【０００３】
これらの構成部品は、構成部品同士や画像形成装置を含めたシステム全体として電気的に接続されてアースされていないと、ユーザが使用している間に帯電して、画像形成装置の誤作動の原因になる可能性がある。そのため、構成部品は、アースされていることが好ましい。
【０００４】
画像読取装置は、自動原稿搬送装置によって流し読みガラス上に送り込まれた原稿を読み取る流し読みと、ユーザが固定読みガラスに載置した原稿を読み取る固定読みとを行えるようになっている。流し読みの場合、原稿が流し読みガラス上を摺動して通過するため、流し読みガラスに静電気が発生して帯電する。
【０００５】
このため、画像読取装置には、流し読みガラスを始めとする各部品を電気的に接続して、アースをするようにしてあるタイプのものがある（特許文献１）。
【先行技術文献】
【特許文献】
【０００６】
【特許文献１】特開２００８−３０４８６７号公報
【発明の概要】
【発明が解決しようとする課題】
【０００７】
ところで、特許文献１に記載の画像読取装置は、アースを取りたい複数の構成部品に対し、個別にアースを取っている。このため、アースを取りたい部品が多数存在すると、その分だけアース部材も増え、画像読取装置の構造が複雑になるとともに、コストアップになるという問題が生じる。
【０００８】
本発明は、構造が簡単なアース装置と、このアース装置を備えた画像読取装置と、この画像読取装置を備えた画像形成装置とを提供することにある。
【課題を解決するための手段】
【０００９】
本発明のアース装置は、導電性を有する複数の部品が内部に配置されるフレーム内に、圧縮状態で設けられる圧縮コイルばねと、前記圧縮コイルばねと導通するアース部材と、を備え、前記圧縮コイルばねは、少なくとも２つの前記部品に接触しており、接触している前記部品の内、少なくとも１つの部品を螺旋状の間で挟んでおり、接触する前記部品をアース部材に導通している、ことを特徴としている。
【００１０】
本発明の画像読取装置は、導電コーティングされて、表面に原稿が位置する透明体と、原稿に光を照射し、反射した光を受けて原稿を読み取る読取部と、前記読取部を前記透明体に対して移動可能に案内する案内部材と、前記読取部を移動させる駆動源と、前記駆動源を支持する支持部材と、上記のアース装置と、を備え、前記案内部材が、前記読取部と前記支持部材との中間に位置し、前記圧縮ばねが接触する部材が、導電性を有する、前記透明体、前記案内部材、及び前記支持部材であり、前記案内部材と前記支持部材とが、前記圧縮コイルばねの螺旋状の間の異なる位置に位置している、ことを特徴としている。
【００１１】
本発明の画像形成装置は、上記の画像読取装置と、前記画像読取装置が読み取った原稿をシートに複写する画像形成部と、を備えた、ことを特徴としている。
【発明の効果】
【００１２】
本発明のアース装置は、圧縮コイルばねを少なくとも２つの部品に接触させて、該部品をアース部材にアースしているので、アース部材の数を削減した簡易な構成で、部品のアース取りを行うことができる。
【００１３】
本発明の画像読取装置は、アース部材の数を削減した簡易な構成で、部品のアース取りを行うことができるアース装置を備えているので構造を簡単にすることができる。
【００１４】
本発明の画像形成装置は、構造を簡単にした画像読取装置を備えているので装置全体を小型にすることができる。
【図面の簡単な説明】
【００１５】
【図１】本発明の実施形態における画像形成装置の外観斜視図である。
【図２】本発明の実施形態における画像形成装置のシート搬送方向に沿った断面概略図である。
【図３】図１に示す画像形成装置の自動原稿搬送を取り外した、画像形成装置の外観斜視図である。
【図４】本発明の実施形態における画像読取装置の外観斜視図である。
【図５】図４における画像読取装置の上フレームユニットの斜視図である。
【図６】図４における画像読取装置の下フレームユニットの斜視図である。
【図７】図３のＹ−Ｙ矢視断面概略図である。
【図８】図７に示す圧縮コイルばねと形状が異なる圧縮コイルばねの外観斜視図である。
【発明を実施するための形態】
【００１６】
以下、本発明の実施形態のアース装置と、このアース装置を備えた画像読取装置と、画像読取装置を装置本体に備えた画像形成装置とを図に基づいて説明をする。図１は、本発明の実施形態における画像形成装置の外観斜視図である。図２は、本発明の実施形態における画像形成装置のシート搬送方向に沿った断面概略図である。
【００１７】
画像形成装置２は、装置本体２Ａと、装置本体２Ａの上部に設けられた画像読取装置１と、画像読取装置１の上部に設けられた自動原稿搬送装置４とで構成されている。
【００１８】
装置本体２Ａは、画像読取装置１からの画像情報に基づいて、普通紙やＯＨＰシート等のシートＰに原稿Ｄを複写する（画像を形成する）ようになっている。画像形成装置２の装置本体２Ａの下部には、各種サイズのシートＰを収納した複数のシートカセット１１３（図には１つだけ示して他は省略）が着脱自在に装着されている。シートカセット１１３から給紙搬送ローラ１０５によって搬送されたシートＰは、画像形成部１０３の感光ドラム１１０の転写位置に送られる。感光ドラム１１０は、画像読取装置１からの画像情報に基づいたレーザスキャナ１０２にレーザを照射されて、潜像を形成され、その潜像が不図示の現像装置によりトナー現像されてトナー画像として形成される。トナー画像は、転写位置に搬送されるシートに転写されて、定着器１０６によって定着される。
【００１９】
シートは、片面に画像を形成されて両面に形成する必要が無い場合、排出ローラ対１０９によって、胴内排出トレイ１１２に排出される。シートは、両面に画像を形成される場合、スイッチバック搬送によって反転搬送されて、再送パス１０７を搬送され、再度、画像形成部１０３へ送り込まれる。画像形成部１０３でシートは、他方の面にトナー画像を転写され、そのトナー画像を定着器１０６で定着されて排出ローラ対１０９から胴内排出トレイ１１２に排出される。なお、シートは、シートカセット１１３からの給送のみならず、マルチトレイ１０８からも給送されるようになっている。
【００２０】
画像読取装置１の上部には、自動原稿搬送装置４が不図示の開閉ヒンジによって、回動自在に取り付けられている。自動原稿搬送装置４は、後述する画像読取装置１の固定読みガラス１３と、流し読みガラス１４に対し、回動して開閉可能に画像読取装置１に設けられている。自動原稿搬送装置４は、閉めた状態で、固定読みガラス１３上の原稿を固定読みガラス１３に押圧するようになっている。
【００２１】
図３は、画像読取装置１を画像形成装置２の装置本体２Ａの枠体３に取り付ける構造を示した図である。画像読取装置１は、画像形成装置２の装置本体２Ａを構成する、板金、アングル等で形成された金属製の枠体３の上部にビスによって固定されている。画像読取装置１は、図４、図５、図６に示すように、略箱形状に形成されている。画像読取装置１は、互いに分離できる上フレームユニット５と下フレームユニット６とで構成されている。
【００２２】
図５に示すように、上フレームユニット５は、樹脂のような非導電性部材で形成された上フレーム７と、ユーザによって原稿が載置される固定読みガラス１３と、自動原稿搬送装置４が搬送する原稿が通過する流し読みガラス１４等を備えている。表面に原稿が位置する透明体としての固定読みガラス１３と流し読みガラス１４は、上フレーム７に両面テープのような不図示の粘着部材によって固定されており、メンテナンス時には上フレーム７から取り外しができるようになっている。
【００２３】
流し読みガラス１４の原稿の通過面１４ａには、自動原稿搬送装置４が搬送する原稿が通過する際の摩擦によって発生する静電気が帯電しないようにする導電コーティングと、原稿が搬送され易くする低摩擦コーティングとが施されている。上フレーム７には、流し読みガラス１４の導電性コーティングと電気的に接続された、アルミシートや銅シート等の導電性シートであるガラス導通部材１５（図７）が設けられている。
【００２４】
図４、図６、図７に示すように、下フレームユニット６は、下フレーム８、画像読取ユニット９、ガイドレール１０、モータＭ、駆動ベルト１６、支持部材１２、支柱２１及び圧縮コイルばね１１等によって形成されている。
【００２５】
読取部としての画像読取ユニット９は、原稿に光を照射し、反射した光を受けて原稿を読み取るようになっている。画像読取ユニット９は、ユーザによって原稿を載置された固定読みガラス１３の直下を副走査方向（矢印Ａ方向）へ、指定サイズ分だけ移動して原稿を読み取るようになっている。この読み取り方を「固定読み」と称する。また、画像読取ユニット９は、流し読みガラス１４の直下に停止して、ユーザが自動原稿搬送装置４の原稿積載トレイ６０１(図１)にセットした原稿を自動原稿搬送装置４が流し読みガラス１４上を搬送されるのを読み取ることができるようになっている。この読み取り方を「流し読み」と称する。画像読取ユニット９にて読み取られた画像データは、画像読取ユニット９に接続された不図示のフラットケーブルを介して、画像形成装置の装置本体に送信されるようになっている。なお、流し読みされた原稿Ｄは、原稿排出トレイ６０２(図１)に排出されるようなっている。
【００２６】
案内部材としてのガイドレール１０は、下フレーム８に設けられて、画像読取ユニット９が副走査方向へ、往復移動できるように(移動可能に)、画像読取ユニット９を案内支持している。駆動ベルト１６は、モータＭと下フレーム８に設けられたプーリ２０とに架け渡されて画像読取ユニット９に接続されており、モータＭが回転すると、画像読取ユニット９を副走査方向に往復移動するようになっている。
【００２７】
支持部材１２は、駆動源としてのモータＭを支持して、下フレーム８に設けられている。支柱２１（図７）は、下フレーム８に立設されて、ガイドレール１０の一端を支持している。圧縮コイルばね１１は、下フレーム８に保持されて、部品としてのガラス導通部材１５と、アース部材としての金属製の枠体３との間に圧縮状態で設けられている。
【００２８】
ところで、下フレームユニット６のガイドレール１０の両端部は、副走査方向の両端部をコストダウン、軽量化を目的として樹脂のような非導電性部材で形成された下フレーム８に支持されている。そして、ガイドレール１０は、画像読取時に画像読取ユニット９が摺動するため、耐久性に優れ、かつ摺動によって発生する静電気をアースし易い導電性に優れた金属製のレールが使用されている。また、モータＭが設けられた支持部材１２は、モータの回転によって発生する静電気をアースし易い導電性に優れた金属板で形成されている。
【００２９】
そして、モータＭを支持する支持部材１２と、ガイドレール１０の一端を支持する支柱２１は、それぞれ下フレーム８に支持、またはビスにより固定されている。下フレーム８は、樹脂のような非導電性部材で形成されている。このため、下フレーム８は、アースとして使用することができない。そこで、画像読取装置は、下フレーム８に保持されて、ガラス導通部材１５と枠体３との間に圧縮状態で設けられた圧縮ばね１１の中間部１１ｃにおける螺旋状の線材１１ｅの間に、ガイドレール１０が挟まれた構造になっている。また、画像読取装置は、圧縮コイルばね１１の中間部１１ｄにおける螺旋状の線材１１ｅに支持部材１２が接触した構造になっている。なお、ガイドレール１０は、支持部材１２と同様に圧縮コイルばね１１に接触しているだけでも良い。また、支持部材１２は、ガイドレール１０のように、圧縮コイルばね１１に挟まれていてもよい。
【００３０】
圧縮コイルばね１１の下端部１１ｂは画像読取装置１が固定される画像形成装置の金属製の枠体３に接触している。さらに、圧縮コイルばね１１は、上フレームユニット５と下フレームユニット６が組み合わさったとき、圧縮された状態で、圧縮コイルばね１１の上端部１１ａが上フレームユニット５に備えられたガラス導通部材１５に圧接している。図７に示すように圧縮された圧縮コイルばね１１の中間部１１ｃ，１１ｄの線材１１ｅの巻きピッチは、ガイドレール１０の直径よりも密になっている。このため、ガイドレール１０は、圧縮された圧縮コイルばね１１に確実に挟まれて電気的に導通している。なお、ガイドレール１０の直径は、圧縮コイルばね１１が自由長のときの巻ピッチよりも必ずしも大きくする必要がないが、少なくとも、圧縮コイルばね１１が圧縮されたとき、圧縮コイルばね１１に挟まれる太さであればよい。
【００３１】
また、圧縮コイルばね１１が圧縮されると、中間部１１ｄが支持部材１２を圧接して、圧縮コイルばね１１と支持部材１２との電気的導通が良好に保持できるようになっている。なお、支持部材１２も、圧縮コイルばね１１が自由長のとき圧縮コイルばね１１が必ずしも接触している必要がないが、少なくても、圧縮コイルばね１１が圧縮されたとき、圧縮コイルばね１１が圧接する位置に設けられていればよい。
【００３２】
この構成により、分割フレームとしての上フレーム７と下フレーム８とが非導電性部材であっても、流し読みガラス１４、ガイドレール１０、および支持部材１２は、圧縮コイルばね１１によって、画像形成装置の金属製の枠体３にアースされていることになる。流し読みガラス１４の上を原稿が通過して流し読みガラス１４に帯電される静電気は、圧縮コイルばね１１によって枠体３にアースされる。また、ガイドレール１０上を移動する画像読取ユニット９によって、ガイドレール１０に発生する静電気も、圧縮コイルばね１１によって枠体３にアースされる。さらに、支持部材１２が支持しているモータＭの回転によって発生する静電気も、圧縮コイルばね１１によって枠体３にアースされる。
【００３３】
以上の構成において、圧縮コイルばね１１と、圧縮コイルばね１１と導通するアース部材としての枠体３はアース装置３０を構成している。アース装置３０は、上フレーム７、下フレーム８の内部に配置された複数の部材としてのガラス導通部材１５、ガイドレール１０及び支持部材１２が、共通の圧縮コイルばね１１に接触しているのでアース構造を簡単にして、コストダウンを図ることができる。
【００３４】
また、圧縮コイルばね１１は、中間部１１ｆが下フレーム８に設けられて、上端部１１ａが上フレームユニット５に備えられたガラス導通部材１５に分離可能に圧接している。このため、アース装置３０は、メンテナンス時に上フレーム７を下フレーム８から分離したとき、ガラス導通部材１５を圧縮コイルばね１１から容易に分離することができるようにしてある。その後、上フレーム７を下フレーム８に組み込んだとき、ガラス導通部材１５を圧縮コイルばね１１に容易に圧接させることができるようにしてある。このため、本実施形態のアース装置３０を備えた画像読取装置１は、アース回線を考慮することなく、上フレーム７と下フレーム８とを容易に分離することができる。
【００３５】
さらに、アース装置３０は、上フレーム７を下フレーム８に組み込んだとき、圧縮コイルばね１１が圧縮されて、圧縮コイルばね１１がガイドレール１０を強固に挟むので、ガイドレール１０のアースを確実にすることができる。また、圧縮コイルばね１１が支持部材１２に圧接されるので、支持部材１２のアースを確実にすることができる。
【００３６】
以上、本発明について最良の実施形態を具体的に説明したが、本発明は上記実施形態に限定されるものではなく、その要旨を逸脱しない範囲で種々変形可能である。
【００３７】
例えば、圧縮コイルばねは、図８の圧縮コイルばね１１１のように、２つのばね部１１１ｃ，１１１ｄを線材１１１ｅで繋げた形状にしてもよい。この圧縮コイルばね１１１においても、両端部１１１ａ、１１１ｂをガラス導通部材１５と枠体３とに圧接させ、ばねの中間部をガイドレール１０と支持部材１２とに接触させると、画像読取装置の各部品及び画像形成装置の枠体との電気的導通が可能になる。
【符号の説明】
【００３８】
１：画像読取装置、２：画像形成装置、３：画像形成装置の装置本体の枠体（アース部材）、４：自動原稿搬送装置、５：上フレームユニット、６：下フレームユニット、７：上フレーム（分割フレーム）、８：下フレーム（分割フレーム）、９：画像読取ユニット、１０：ガイドレール（部品）、１１：圧縮コイルばね、１１ｃ，１１ｄ：圧縮コイルばねの中間部、１２：支持部材（部品）、１３：固定読みガラス、１４：流し読みガラス、１５：ガラス導通部材（部品）、３０：アース装置、１１１：圧縮コイルばね。
【図１】
2016021616.tif 000003
【図２】
2016021616.tif 000004
【図３】
2016021616.tif 000005
【図４】
2016021616.tif 000006
【図５】
2016021616.tif 000007
【図６】
2016021616.tif 000008
【図７】
2016021616.tif 000009
【図８】
2016021616.tif 000010